(57)【特許請求の範囲】
【請求項１】
住宅設備の端部の側面に取り付けられる機器の取付構造であって、
上下一対の取付部材が前記住宅設備の前記側面に離間して取り付けられ、
前記機器を構成する機器本体が、前記上下一対の取付部材の上側の取付部材及び下側の取付部材との間に位置するように前記上側の取付部材に取り付けられ、
側面パネルが、該側面パネルと前記側面との間に前記上側の取付部材が挟まれ、前記機器本体の設置空間を確保した状態で、前記上側の取付部材と前記下側の取付部材との間に跨って取付けられていることを特徴とする機器の取付構造。
【請求項２】
請求項１に記載の機器の取付構造において、
前記機器を構成する上部ユニットの少なくともその下端部が、前記機器本体の上方に、前記上側の取付部材を介して、前記側面パネルと前記側面との間の間隙に上側から差し込まれて設置されることを特徴とする機器の取付構造。
【請求項３】
請求項２に記載の機器の取付構造において、
前記上側の取付部材の長手方向の両端には、前記上部ユニットの両端部を支持するように起立して形成された上部ユニット支持部が設けられていることを特徴とする機器の取付構造。
【請求項４】
請求項１〜請求項３のいずれか１項に記載の機器の取付構造において、
前記上側の取付部材は、前記機器本体の上端面を固定するための固定具挿通孔を有する機器本体取付部を備え、
前記機器本体が、前記固定具挿通孔に上方から挿通された固定具によって前記機器本体取付部に固定されるとともに、前記設置空間に着脱自在に収納されることを特徴とする機器の取付構造。
【請求項５】
請求項１又は請求項２に記載の機器の取付構造において、
前記上側の取付部材は、前記機器本体の上方を係止する段差部を備え、
前記機器本体が、前記段差部に係止された状態で前記機器の前面側から前記設置空間にスライドして着脱自在に収納されることを特徴とする機器の取付構造。
【請求項６】
請求項１〜請求項５のいずれか１項に記載の機器の取付構造において、
前記上側の取付部材は、前記側面パネルの上方部を固定するための固定具挿通孔を有する側面パネル取付部を備え、
前記下側の取付部材は、前記側面パネルの下端部に備えられた被係止部を係止する係止部を備え、
前記側面パネルの上方部が、前記係止部を前記側面パネルの前記被係止部に係止させた状態で前記側面パネル取付部に取り付けられることを特徴とする機器の取付構造。
【発明の詳細な説明】
【技術分野】
【０００１】
本発明は、住宅設備の端部の側面に取り付けられる機器の取付構造に関する。
【背景技術】
【０００２】
従来より、キッチンユニットなどの既設の住宅設備の端部の側面に、脱臭機能あるいは音響、映像の出力機能などを有する機器を取り付けて、当該住宅設備やその周辺部に対して当該機器の機能を発揮させる構成のものが知られている。
このタイプの機器はできるだけ薄型に構成されており、住宅設備の端部の側面に設置されることにより、住宅設備の上面などのスペースが犠牲になることがなく、また作業などを行う上での妨げとならないような構成とされている。
このような機器としては、例えば、特許文献１に記載された機能パネル１０が挙げられる。
【０００３】
この文献の図１に示すように、既設の住宅設備（キッチン設備Ｋ）の一方の端部の側面に、音響又は映像の出力機能を有する出力装置を備える機器（機能パネル１０）が設置されている。機能パネル１０には、前記出力装置の他、音響及び映像の再生機器２０や音響又は映像の記録媒体を収納できる収納部Ｓが形成されており、この収納部Ｓには、電源スイッチ１４やボリューム調整器１６、配線接続のための入力端子１５などが収納される。
これによれば、キッチン設備Ｋの開放された一側面部に機能パネル１０を取り付ける構成のため、キッチン設備Ｋの躯体側壁などに出力機器を組み込む場合と比べて、既設のキッチン設備Ｋへの当該出力機器の適用が容易であるとされている。
【先行技術文献】
【特許文献】
【０００４】
【特許文献１】特開２００６−２１７９７６号公報
【発明の概要】
【発明が解決しようとする課題】
【０００５】
ところで、このような機器を既設の住宅設備の側面に設置する際には、容易に取り付けられるものであることが望ましい。さらに、機器を構成する各部材のメンテナンスを容易に行うことができるように、機器の全体を取り外す構成ではなく、所望の部材のみを容易に住宅設備から取り外すことができるような構成となっていることが望ましい。
しかしながら、上記特許文献１における機器は、出力装置などの多くの部材を備えた大きな一枚の板状体であり、例えば機能単位ごとに分割して個々を取り付けたりすることができないため、住宅設備の側面に容易に機器を取り付けることができるとは言い難い。さらに、機器の各部材のメンテナンスがし易いように、機器の一部を取り外すことができる構成になっているとは言い難い。
そこで、住宅設備の端部の側面に容易に機器を取り付けることができ、メンテナンス時などには機器の所望の部材のみを着脱することができる機器の取付構造の開発が求められていた。
【０００６】
本発明は、上記の点を鑑みてなされたものであり、住宅設備の端面に容易に機器を取り付けることができる機器の取付構造を提供する。
【課題を解決するための手段】
【０００７】
上記目的を達成するために、本発明に係る機器の取付構造は、住宅設備の端部の側面に取り付けられる機器の取付構造であって、上下一対の取付部材が前記住宅設備の前記側面に離間して取り付けられ、前記機器を構成する機器本体が、前記上下一対の取付部材の上側の取付部材及び下側の取付部材との間に位置するように前記上側の取付構造部材に取り付けられ、側面パネルが、該側面パネルと前記側面との間に前記上側の取付部材が挟まれ、前記機器本体の設置空間を確保した状態で、前記上側の取付部材と前記下側の取付部材との間に跨って取付けられていることを特徴とする。
【０００８】
本発明において、前記機器を構成する上部ユニットの少なくともその下端部が、前記機器本体の上方に、前記上側の取付部材を介して、前記側面パネルと前記側面との間の間隙に上側から差し込まれて設置される構成としてもよい。
また本発明において、前記上側の取付部材の長手方向の両端には、前記上部ユニットの両端部を支持するように起立して形成された上部ユニット支持部が設けられていてもよい。
さらに本発明において、前記上側の取付部材は、前記機器本体の上端面を固定するための固定具挿通孔を有する機器本体取付部を備え、前記機器本体が、前記固定具挿通孔に上方から挿通された固定具によって前記機器本体取付部に固定されるとともに、前記設置空間に着脱自在に収納されるよう構成されていてもよい。
【０００９】
また本発明において、前記上側の取付部材は、前記機器本体の上方を係止する段差部を備え、前記機器本体が、前記段差部に係止された状態で前記機器の前面側から前記設置空間にスライドして着脱自在に収納されるよう構成してもよい。
そして本発明において、前記上側の取付部材は、前記側面パネルの上方部を固定するための固定具挿通孔を有する側面パネル取付部を備え、前記下側の取付部材は、前記側面パネルの下端部に備えられた被係止部を係止する係止部を備え、前記側面パネルの上方部が、前記係止部を前記側面パネルの前記被係止部に係止させた状態で前記側面パネル取付部に取り付けられるよう構成されていてもよい。
【発明の効果】
【００１０】
本発明に係る機器の取付構造によれば、住宅設備の端面に容易に機器を取り付けることができる。
【図面の簡単な説明】
【００１１】
【図１】本発明の一実施形態に係る機器の取付構造によって、機器の機器本体が住宅設備の端部の側面に取り付けられる取り付け過程を示す模式的分解斜視図である。
【図２】（ａ）は、同機器の取付構造の上下一対の取付部材が同住宅設備の同端部の側面に取り付けられた状態を示す模式的斜視図であり、（ｂ）は、（ａ）の同側面を側面側から見た模式的正面図である。（ｃ）は、同上下一対の取付部材を示す模式的斜視図である。
【図３】同機器の取付構造の上側の取付部材に、機器の機器本体が取り付けられた状態を示す模式的斜視図である。
【図４】（ａ）は、同機器の取付構造の側面パネルを示す模式的斜視図、及び同側面パネルの被係止部材の拡大図である。（ｂ）は、同側面パネルが同機器の取付構造を構成する上下一対の取付部材に取り付けられた状態を示す模式的斜視図である。
【図５】（ａ）は、同機器の上部ユニットが上側の取付部材に取り付けられる前の状態を示す模式的斜視図である。（ｂ）は、同上部ユニットが同上側の取付部材に取り付けられた状態を示す模式的斜視図である。
【図６】（ａ）は、同上部ユニットが同上側の取付部材に取り付けられる前の状態を、同住宅設備の前面側から見た模式的側面図である。（ｂ）は、同上側の取付部材に取り付けられた状態の同上部ユニットの模式的斜視図、及び同上部ユニットの一部の拡大図である。
【図７】別の実施形態における機器の取付構造によって、機器の機器本体が住宅設備の端部の側面に取り付けられる過程を示す模式的斜視図である。
【図８】（ａ）は、同機器の取付構造の上下一対の取付部材が同住宅設備の同端部の側面に取り付けられた状態を示す模式的斜視図であり、（ｂ）は、同上下一対の取付部材を示す模式的斜視図である。
【図９】（ａ）は、同機器の取付構造の側面パネルを示す模式的正面図、及び同側面パネルに取り付けられた被係止部材を示す模式的斜視図である。（ｂ）は、同側面パネルが下側の取付部材に係止した状態を示す模式的斜視図である。
【図１０】（ａ）は、同機器の上部ユニットが同側面パネルに取り付けられた状態を示す模式的斜視図であり、（ｂ）は、（ａ）の同上部ユニットを下方から見た模式的分解斜視図である。
【図１１】同上部ユニット及び同機器本体が同住宅設備に取り付けられた状態を示す模式的分解斜視図である。
【発明を実施するための形態】
【００１２】
以下に本発明の実施の形態について、図面に基づいて説明する。
まずは、図１〜図６を参照しながら、一実施形態に係る機器の取付構造１について説明する。本実施形態に係る機器の取付構造１は、図１に示すように、住宅設備としてキッチンユニット８、機器として脱臭機能を備えた脱臭装置５を用いて説明とする。
脱臭装置５は、キッチンユニット８の端部の側面８ａ（８ｂ）のうちの右側の側面８ａに取り付けられる。側面８ａには、上下一対の取付部材２，３が上下に離間した状態で取り付けられ、脱臭装置５を構成する機器本体６が、上下一対の取付部材２，３における上側の取付部材２と下側の取付部材３との間に位置するように上側の取付部材２に取り付けられる。そして側面パネル４が、側面パネル４と前記側面８ａとの間に上側の取付部材２が挟まれて、機器本体６の設置空間Ｓが確保された状態で、上側の取付部材２と下側の取付部材３との間に跨って取り付けられる。またここに示す実施形態では、上側の取付部材２は、機器本体６の上端面６０ｃを固定するための固定具挿通孔２０ａを有する機器本体取付部２０を備えている。また、機器本体６が、固定具挿通孔２０ａに上方から挿通された固定具によって機器本体取付部２０に固定されるとともに、設置空間Ｓに着脱自在に収納される。
以下、詳しく説明する。
【００１３】
機器の取付構造１の説明に入る前に、まず機器の取付構造１により脱臭装置５が取り付けられるキッチンユニット８の構成について図１を用いて説明する。
図１は、キッチンユニット８の端部の側面（右側面）８ａに、機器の取付構造１により脱臭装置５を構成する機器本体６が取り付けられた状態を示している。
尚、これ以降は、キッチンユニット８の正面（引き出し操作が可能な側）にキッチンユニット８の使用者が対面した状態における使用者の位置を基準として、左右、前後、上下の方向を説明することにする。
キッチンユニット８は、平面視において略矩形状の箱状体であり、床面の上に設置されるキッチンユニット本体の上面にカウンターを載置して構成されている。カウンターの上面８ｃには、長手方向の左側の部分にコンロ８３が、右側の部分にシンク８１が組み込まれている。
キッチンユニット本体の箱状体は、右側面８ａ、左側面８ｂ、前面８ｄ、裏面（不図示）、底面（不図示）の面で構成され、前面８ｄは開口しており、その内部は物品収納空間とされている。
当該前面８ｄには、開閉自在な扉体（不図示）を設けるようにしてもよいし、図例のように、前面８ｄから物品収納空間内に前後方向にスライド自在に構成された複数の引出しを設けるようにしてもよい。また、引出しと扉体とを両方設けるようにしてもよいし、前面８ｄを開口状態のオープンラックとして、そこにゴミ箱や踏み台などを収容できるようにしてもよい。さらに引出しの個数も図例に限定されず、コンロ８３の下方には、魚焼きグリル（不図示）を配設したものとしてもよい。
キッチンユニット８の設置場所は限定されるものではないが、キッチンユニット８は、平面視において略直角に配された壁面（不図示）の入隅部（不図示）に、右側面８ａ（左側面８ｂ）と裏面がそれぞれの壁面と接するように設置される。
カウンターは、平面視にて略矩形状の平板状に形成されており、天然大理石、人造大理石、樹脂材、ステンレス材あるいは木質材からなるカウンターとしてもよい。
【００１４】
カウンターの左側の部分には、コンロ８３を嵌め込み設置（いわゆるビルトイン）するための開口部（不図示）がカウンターの長手方向を長辺とした略長方形状に開設されている。
コンロ８３は、電磁調理器（ＩＨヒータ）としての発熱体と、発熱体を囲むプレート部とから構成され、上述の開口部に嵌め込み設置される。ここに示す発熱体は、長手方向に沿って３つ横並びに並列配置されている。
尚、発熱体の数は１口や２口、或いは４口以上としてもよいし、発熱体の配置も並列、三角形、四角形など特に限定されるものではない。さらに発熱体としては、ＩＨヒータに限定されず、ガスコンロ、電気発熱式コンロなどとしてもよい。
【００１５】
コンロ８３と間隔を空けて、カウンターの右側の部分には、シンク８１を嵌め込み設置（いわゆるビルトイン）するための開口部が、カウンターの長手方向を長辺とした略長方形状に開設されている。シンク８１は、上面開口の略矩形体からなり、上述の開口部に収まるように平面視において略長方形状に形成されている。シンク８１の近傍には、シンク８１に向けて水を放出できるように水栓蛇口８２が設置されている。シンク８１の奥行方向の右奥側のコーナー部には、生ごみなどを捨てることができるゴミ容器（不図示）を設置してもよい。また、キッチンユニット使用者の足元付近に当たる、キッチンユニット８の前面８ｄの右下にはゴミ箱（不図示）を設置してもよい。
コンロ８３の上方には、コンロ８３の発熱体による加熱調理の際に発生する湯気、油煙などの廃気を捕集するための換気装置（不図示）が設けられ、換気装置にはファンが内蔵され、廃気を吸引して外気に排気する送風部を有する。
【００１６】
次に、機器の取付構造１の上下一対の取付部材２，３の構成について、図２（ｃ）を用いて説明する。
上側の取付部材２は細長帯状に形成されており、その帯状部分には、その長手方向に長辺を持つ細長略矩形の２つの機器本体挿通孔２５（２５ａ，２５ｂ）が形成されている。これらの機器本体挿通孔２５ａ，２５ｂは、互いの同じ側の長辺同士が、帯状部分の長手方向に沿って略一直線上に位置するように、互いに離間して帯状部分の長手方向に沿って形成されている。
前記帯状部分には、３つの機器本体取付部２０，２０，２０が設けられており、それらのうちの１つの機器本体取付部２０は、帯状部分における、２つの機器本体挿通孔２５ａ，２５ｂに挟まれた部分に設けられている。また、機器本体挿通孔２５ａとそれに近いほうの上側の取付部材２の端部との間に、及び機器本体挿通孔２５ｂとそれに近いほうの上側の取付部材２の端部との間に、機器本体取付部２０がそれぞれ一つずつ設けられている。各機器本体取付部２０には固定具が挿通される各固定具挿通孔２０ａが形成されている。
上側の取付部材２の一方の長辺部２１から、略矩形で平面状の３つの折曲片２２，２２，２２が、機器本体取付部２０と略垂直方向に、上向きに延出している。これら３つの折曲片２２，２２，２２のうち両側に位置する２つの折曲片２２，２２は、上側の取付部材２の長手方向の略両端部分に形成されており、これら３つの折曲片２２，２２，２２は略等間隔に形成されている。各折曲片２２には、固定具が挿通される挿通孔２２ａが形成されている。
上側の取付部材２の前記一方の長辺部２１とは反対側の長辺部２１からは、前記折曲片２２の延出方向とは反対の下向きに、機器本体取付部２０と略垂直方向に、略矩形で平面状の２つの側面パネル取付部２３，２３が延出している。各側面パネル取付部２３には固定具が挿通される固定具挿通孔２３ａが形成されている。一方の側面パネル取付部２３は、前記機器本体挿通孔２５ａ，２５ｂの一方に臨む位置に、他方の側面パネル取付部２３は、前記機器本体挿通孔２５ａ，２５ｂの他方に臨む位置に設けられている。
上側の取付部材２の両端部から、側面パネル取付部２３の延出方向と同じ上向きに、側面パネル取付部２３及び機器本体取付部２０の面と直交するように、２つの上部ユニット支持部２４，２４が起立して設けられている。各上部ユニット支持部２４には、固定具が挿通される挿通孔２４ａが形成されている。
【００１７】
下側の取付部材３は、細長帯状に形成されており、その帯状部分は略矩形で平面状の平面部３０で構成され、その平面部３０の一方の長辺部が、当該平面部３０と略垂直方向に、上向きに折り曲げられ、係止部３２が形成されている。
平面部３０の他方の長辺部は、前記係止部３２の折り曲げられた方向と同じ向きである上向きに、平面部３０と略垂直方向に折り曲げられており、その折り曲げられた部分には３つの取付片３１が形成されている。
これら３つの取付片３１のうち、下側の取付部材３の長手方向の両側に位置する２つの取付片３１，３１は、下側の取付部材３の長手方向の略両端部分に形成されており、これら３つの取付片３１，３１，３１は略等間隔に形成されている。各取付片３１には、固定具が挿通される挿通孔３１ａが形成されている。
【００１８】
次に、機器の取付構造１の側面パネル４の構成について、図４（ａ）を用いて説明する。
側面パネル４は、略矩形の板状体である側面パネル本体４０からなり、その表面４０ａの下端部４０ｃには、３つの被係止部材４１，４１，４１が略等間隔に設置される。
各被係止部材４１は、略方形で平面状のパネル取付部４３を有し、このパネル取付部４３の略中央部分には固定具を挿通する固定具挿通孔４４が形成されている。
パネル取付部４３の下端部には、被係止部４２が鉤型状に形成されている。パネル取付部４３が側面パネル本体４０の表面４０ａに取り付け固定された状態では、前記被係止部４２と、側面パネル本体４０の表面４０ａとの間には、前記下側の取付部材３の係止部３２を挿入することができる程度の間隙が生じている。
【００１９】
次に、脱臭装置５の構成について、図３、図５（ａ）、図５（ｂ）を用いて説明する。
脱臭装置５は、上部ユニット７と、機器本体６とを備えている。機器本体６は図３に示すように、中空の略矩形の箱状体であり、その内部には、内部に脱臭剤を有した脱臭部６２が備えられ、その上方には、下方の空気を吸い込んで上方へ送風する送風機６３が備えられている。図では３つの送風機６３が備えられているものを示している。
機器本体６の上端部には、上方に開口した３つの開口部６１，６１，６１が設けられている。この３つの開口部６１，６１，６１のうちの一つが吸気側連通口６１ａであり、機器本体６を設置した場合のキッチンユニット８の奥行方向の奥側に当たる箇所に形成されている。また、残りの２つは吹出口連通口６１ｂ，６１ｃであり、前記奥行方向の略中央部分に形成されている。また、機器本体６の上端には３つの上端面６０ｃ，６０ｃ，６０ｃが略等間隔に形成されており、その各々の略中央部分には、ボス状のメネジ部材６０ｄが、各上端面６０ｃと各略垂直方向に設けられている。
【００２０】
上部ユニット７は、図５（ａ）に示すように、キッチンユニット８の奥行方向に細長い中空の箱状体であり、機器本体６の上方に設置される。その本体である上部ユニット本体７０のキッチンユニット８のシンク８１側の面には、キッチンユニット８の奥行方向の奥側に、シンク８１側に略矩形状に開口する吸気口７７が形成されており、この吸気口７７からシンク８１側の空気が吸気される。また、前記奥行方向の略中央部分にはシンク８１側に略矩形状に開口する吹出口７５が形成されており、ここから脱臭部６２にて脱臭された空気が吹き出される。また、上部ユニット本体７０の長手方向の２つの両端部７０ｃ，７０ｃの下端部には、上部ユニット本体７０の内部の方向に略矩形状に凹んだ凹所７１，７１が形成されている（図６（ｂ）参照）。各凹所７１には固定具挿通孔７１ａが形成されており、この固定具挿通孔７１ａは、上部ユニット本体７０の幅方向に沿って細長い長孔状に形成されている。
【００２１】
尚、設置場所などは限定されないが、例えば上部ユニット本体７０の内部の、キッチンユニット８の奥行方向の手前側の空間に静電霧化器（不図示）を設置してもよい。その場合、そこから帯電微粒子水を吹出口７５の方向に噴出させることにより、その帯電微粒子水が脱臭された空気とともに吹出口７５から吹き出されることになる。この帯電微粒子水を含んだ空気は脱臭効果が高く、静電霧化器を駆動させておくことにより、シンク８１周りなどのカビ菌などの繁殖を抑えることができる。
尚、静電霧化器の構成は、特に限定されず、例えば、本体ケース内にピン状の放電電極（霧化電極）と、この放電電極に対向して配置され放電電極と同軸状の開口を有してリング形状とされた対向電極とを備えたものとしてもよい。そして、これら放電電極と、対向電極との間に高電圧を印加することで放電現象を生じさせ、放電電極に保持された水分を静電霧化させることで、帯電微粒子水を電極間から吐出する構成とされたものとしてもよい。また、この帯電微粒子水としては、ナノメートルサイズの粒子径のもの（例えば、５ｎｍ〜２０ｎｍ程度）を含む帯電した微粒子液滴で、空気中にミスト状態で浮遊可能なものとしてもよい。
【００２２】
また、機器本体６の、キッチンユニット８の前面８ｄ側の端面上に、第２吸気口（不図示）を形成してもよい。この場合、キッチンユニット使用者の足元付近の空気が吸気されるため、そこにゴミ箱を設置しておく場合には、ゴミ箱付近の脱臭を効率的に行うことができる。尚、第２吸気口は、機器本体６の、キッチンユニット８の裏面側の端面上に形成されてもよい。
また、上部ユニット７の上端部に上方に開口する第２吹出口７９を形成してもよく、さらに空気の吹き出し口として吹出口７５と第２吹出口７９のいずれかを選択して切り換えることのできるフラップ７６を上部ユニット７の内部に設けてもよい（図５（ａ）参照）。フラップ７６は薄い帯板状で形成されており、上部ユニット７の内部で軸支され、回動する構成となっている。回動によりフラップ７６の帯板状部分が第２吹出口７９への空気の流路を塞ぐ状態になると、吹出口７５が開いた状態となるため、吹出口７５のみから空気が吹き出す。また、フラップ７６の帯板状部分により吹出口７５を閉じて、吹出口７５から空気が吹き出されないようにすることにより、第２吹出口７９への空気の流路が確保され、これにより第２吹出口７９のみから空気が吹き出すこととなる。
また、吸気口７７と第２吸気口のいずれか一方を開口し他方を閉じる操作を行う吸気口切換弁（不図示）が設けられていてもよい。
さらに、このフラップ７６による空気の吹き出し口の切り換え及び吸気口切換弁による吸気口の切り換えを連動させるようにしてもよい。例えば、第２吸気口から空気が吸い込まれ、吹出口７５から空気が吹き出すパターン（第１パターン）と、吸気口７７から空気が吸い込まれ、第２吹出口７９から空気が吹き出すパターン（第２パターン）との間で切り換えができるものとしてもよい。
【００２３】
例えば、この第２パターンの構成においては、シンク８１のゴミ容器付近の空気が、送風機６３の吸気力により吸気口７７から吸気されると、機器本体６の上端部の吸気側連通口６１ａを介して機器本体６の内部へ入り、脱臭部６２の下方に達する。その空気が送風機６３によって上方に送られる過程で、脱臭部６２内を通過するため、そこで脱臭され、脱臭された空気は吹出口連通口６１ｂ，６１ｃを介して上部ユニット７に送られる。そしてその脱臭された空気は第２吹出口７９から上方に吹き出される。これにより、シンク８１のゴミ容器付近の脱臭を効果的に行うことができる。
また、前記第１パターンの構成においては、キッチンユニット使用者の足元付近（ゴミ箱付近）の空気が、送風機６３の吸気力によって第２吸気口から吸気されると、送風機６３によって脱臭部６２の下方から上方に送られる。それにより脱臭部６２を通過することになるため、そこで脱臭され、脱臭された空気は吹出口連通口６１ｂ，６１ｃを介して上部ユニット７に送られる。そしてその脱臭された空気は吹出口７５から吹き出される。これにより、キッチンユニット使用者の足元付近（ゴミ箱付近）の脱臭を効率的に行うことができる。
【００２４】
また、フラップ７６による吹出口７５と第２吹出口７９との間の吹出口の切り換えを、静電霧化器の駆動・非駆動と連動させてもよい。すなわち、静電霧化器の駆動時には、生成される帯電微粒子水による殺菌作用がより有効に発揮されるべく、吹出口を吹出口７５とするようにしてもよい。
これにより、静電霧化器から生じた帯電微粒子水を含む空気が、ゴミ容器を含むシンク８１の付近に吹き出されるため、当該箇所の効率的な殺菌ができる。
尚、上述した吸気口及び吹出口の組合せに限定されることはなく、例えば、吸気口７７及び第２吸気口から空気が吸い込まれるよう設定し、静電霧化器を駆動させずに、フラップ７６の操作により第２吹出口７９のみから空気が吹き出す構成としてもよい。
また、第２吸気口のみから空気が吸い込むよう設定し、静電霧化器を駆動させずに、フラップ７６による切り換えを行って、吹出口７５または第２吹出口７９のいずれかから空気が吹き出す構成としてもよい。
【００２５】
次に、脱臭装置５を、キッチンユニット８の端部の側面８ａに取り付ける工程について説明する。
まず、図２（ａ）、図２（ｂ）、図２（ｃ）に示すように、上側の取付部材２が、キッチンユニット８の端部の側面８ａの上端付近に取り付け固定される。３つの折曲片２２，２２，２２をキッチンユニット８の端部の側面８ａに接する状態にして、キッチンユニット８の上面８ｃと当該上側の取付部材２の辺部２１，２１とが略平行になるようにして取り付けられる。例えばネジなどの固定具（不図示）を、各折曲片２２側からキッチンユニット８の端部の側面８ａ側へ各挿通孔２２ａに挿通させて、当該固定具を当該側面８ａに止着させる。それにより、折曲片２２，２２，２２を介して上側の取付部材２がキッチンユニット８の端部の側面８ａに取り付け固定される。その際、上側の取付部材２の辺部２１，２１が、キッチンユニット８の上面８ｃから少し下がった位置に位置するように上側の取付部材２が取り付け固定される。
次に、機器の取付構造１の下側の取付部材３が、側面８ａの下端付近に取り付け固定される。３つの取付片３１，３１，３１がキッチンユニット８の端部の側面８ａに接する状態にして、当該下側の取付部材３の平面部３０の位置が側面８ａの下端と略一致する状態にして取り付けられる。例えばネジからなる固定具（不図示）を、各取付片３１側からキッチンユニット８の端部の側面８ａ側へ各挿通孔３１ａに挿通させて、当該固定具を当該側面８ａに止着させる。それにより、取付片３１，３１，３１を介して下側の取付部材３がキッチンユニット８の端部の側面８ａに取り付け固定される。
【００２６】
次に、上側の取付部材２と下側の取付部材３との間に機器本体６が位置するように、機器本体６が上側の取付部材２に対して取り付ける。
図３に示すように、まず機器本体６の上端部の、吸気側連通口６１ａを形成する部分、及び吹出口連通口６１ｂを形成する部分が、上側の取付部材２の機器本体挿通孔２５ａに挿入される。さらに、機器本体６の上端部の、吹出口連通口６１ｃを形成する部分が、上側の取付部材２の機器本体挿通孔２５ｂに挿入される。
機器本体６の３つの上端面６０ｃ，６０ｃ，６０ｃの各メネジ部材６０ｄの上端面を、上側の取付部材２の３つの機器本体取付部２０，２０，２０の各々に当接させる。例えばネジなどの固定具（不図示）を、各機器本体取付部２０側から各メネジ部材６０ｄ側へ固定具挿通孔２０ａに挿通させて、当該固定具を各メネジ部材６０ｄに止着させる。これで、機器本体６が、機器本体取付部２０，２０，２０を介して上側の取付部材２に対して取り付け固定される。
これにより、機器本体６は、後述する機器本体６の設置空間Ｓ内に保持される状態となる。
【００２７】
次に、側面パネル４を上下一対の取付部材２，３に対して取り付ける。
まず、図４（ａ）に示すように、側面パネル本体４０の表面４０ａの下端部４０ｃに、３つの被係止部材４１，４１，４１を略等間隔に取り付け固定する。各被係止部材４１のパネル取付部４３を側面パネル本体４０の表面４０ａに接する状態にする。例えばネジなどの固定具（不図示）をパネル取付部４３側から側面パネル本体４０の表面４０ａ側へ固定具挿通孔４４に挿通させて、当該固定具を表面４０ａに止着させる。これにより、各被係止部材４１が側面パネル４に取り付け固定される。尚、この取り付けの際、パネル取付部４３の下方に被係止部４２が位置するように各被係止部材４１を取り付けるようにする。
その後、これらの被係止部材４１，４１，４１を取り付けた側面パネル４を上下一対の取付部材２，３に対して取り付ける。
図４（ｂ）に示すように、まず側面パネル４の下端部４０ｃの３つの被係止部材４１，４１，４１における、各被係止部４２と側面パネル本体４０の表面４０ａとの間の間隙に下側の取付部材３の係止部３２を挿入し、係止部３２をそこに係止させる。次に、その状態を保ったままで、側面パネル４の上方部４０ｂを、上側の取付部材２の２つの側面パネル取付部２３、２３に接する状態にする。この状態で、例えばネジなどの固定具（不図示）を、各側面パネル取付部２３側から側面パネル本体４０の表面４０ａ側へ固定具挿通孔２３ａに挿通させて、当該固定具を表面４０ａに止着させる。これにより、側面パネル４が、各側面パネル取付部２３を介して上下一対の取付部材２，３に対して取り付け固定される。
【００２８】
次に、上部ユニット７を上側の取付部材２を介して機器本体６の上方に取り付ける。
まず、上部ユニット７の少なくともその下端部７０ｄが、側面パネル４の表面４０ａとキッチンユニット８の端部の側面８ａとの間の間隙ｄ１に差し込まれる（図５（ｂ）、図６（ａ）参照）。
その際、上側の取付部材２の辺部２１，２１が、キッチンユニット８の上面８ｃから少し下がった位置に位置するよう設定される（図２（ｂ）参照）。また前記間隙ｄ１は、上部ユニット７の幅方向の厚さ７ｄよりも若干程度大きく設定されている（図６（ａ）、図６（ｂ）参照）。そのため、上部ユニット７の少なくとも下端部７０ｄを当該間隙ｄ１に上側から差し込むことができる構成となっている。
次に、上部ユニット本体７０の両端部７０ｃ，７０ｃの下端部の内側に上部ユニット支持部２４，２４を位置させるようにする（図６（ｂ）参照）。そして上部ユニット支持部２４、２４の各挿通孔２４ａと凹所７１，７１の各固定具挿通孔７１ａの孔部分とが重なるようにする。この状態で例えばネジなどの固定具７１ｂを、キッチンユニット８の前面８ｄ側の凹所７１に対して、凹所７１側から上部ユニット支持部２４側へ固定具挿通孔７１ａに挿通させて、当該固定具７１ｂを上部ユニット支持部２４に止着させる。これにより、上部ユニット本体７０の両端部７０ｃ，７０ｃのうちの、一方の端部７０ｃが、一方の上部ユニット支持部２４に支持されて、上部ユニット７が上側の取付部材２に対して取り付け固定される。
尚、固定具７１ｂが取り付けられる凹所７１は、キッチンユニット８の前面８ｄ側に位置する凹所７１に限定されず、裏面側に位置する凹所７１であってもよく、また前面８ｄ側及び裏面側の両方の凹所７１，７１であってもよい。
この際、各固定具挿通孔７１ａが凹んだ凹所７１に設けられているため、取り付けられた固定具７１ｂの頭部が外部からは見えにくい位置にあり、意匠性の向上に寄与している。
また、固定具挿通孔７１ａは、上部ユニット本体７０の幅方向に沿って細長い長孔状に形成されている。そのため、上部ユニット本体７０を上部ユニット支持部２４に取り付ける際、上部ユニット本体７０の位置を上部ユニット本体７０の幅方向に適宜ずらして、上部ユニット本体７０の取り付け固定位置を調整することができる。
【００２９】
次に、機器本体６の設置空間Ｓについて説明する。
キッチンユニット８の端部の側面８ａと側面パネル本体４０の表面４０ａとの間の間隔は、上側の取付部材２の短手方向の幅２ｄ及び下側の取付部材３の短手方向の幅３ｄと略一致している（図２（ｃ）、図６（ａ）参照）。また当該間隔は、機器本体６の幅方向の厚さ６ｄよりも若干大きめに設定されている（図６（ｂ）参照）。そのため、側面パネル４が上下の取付部材２，３の間に跨って取り付けられた際、機器本体６の設置空間Ｓ（キッチンユニット８の端部の側面８ａと側面パネル本体４０の表面４０ａとの間の空間に略相当する）が確保される。それにより、機器本体６の着脱の作業を行うことが可能な状態となっている。
【００３０】
次に、機器本体６及び上部ユニット７の取り外し工程について、図６（ｂ）、図３を用いて説明する。
側面パネル４が上下の取付部材２，３に取り付け固定された状態で、上部ユニット７の取り付け固定がされている箇所の固定具７１ｂを上部ユニット支持部２４から取り外す（図６（ｂ）参照）。これにより、上部ユニット７の固定がはずれ、上部ユニット７を前記間隙ｄ１から上側方向へ引き抜くことができる。尚、２つあるうちの１箇所の固定をはずせばよいため、容易に上部ユニット７を取り外すことができる。
上部ユニット７が取り外されると、上側の取付部材２の機器本体取付部２０，２０，２０が露呈する。各機器本体取付部２０に取り付けられた固定具を、側面パネル４が上下の取付部材２，３に取り付け固定された状態で取り外すことにより、機器本体６の固定が外れる（図３参照）。設置空間Ｓは機器本体６の着脱の作業を可能とする程度の空間であるため、固定がはずれた機器本体６を、側面パネル４が上下一対の取付部材２，３に固定された状態を保ったままで、キッチンユニット８の前面８ｄ側から取り出すことができる。
【００３１】
以上の構成によれば、キッチンユニット８の端部の側面８ａに容易に脱臭装置５を取り付けることができる。
また、機器本体６の設置空間Ｓが確保された状態で側面パネル４が取り付けられており、機器本体６が上側の取付部材２と下側の取付部材３の間に位置するように上側の取付部材２に取り付けられる。そのため、機器本体６の寸法仕様に多少ばらつきがあっても、それを吸収して、キッチンユニット８の端部の側面８ａ（８ｂ）に容易に機器本体６を取り付けることができる。
さらに、上側の取付部材２は、機器本体６の各上端面６０ｃを固定するための固定具挿通孔２０ａを有する機器本体取付部２０，２０，２０を備えている。機器本体６が、各固定具挿通孔２０ａに上方から挿通された固定具によって固定されるとともに、設置空間Ｓに着脱自在に収納される。これにより、メンテナンス時などには、脱臭装置５を構成する機器本体６のみを容易に着脱することができる。
そして、上側の取付部材２の長手方向の両端には、上部ユニット７の両端部７０ｃ，７０ｃを支持するように起立して形成された上部ユニット支持部２４，２４が設けられている。これにより、上部ユニット７の両端部７０ｃ（７０ｃ）が上部ユニット取付部２４（２４）に支持されることで、上部ユニット７をしっかりと上側の取付部材２に取り付けることができる。
【００３２】
次に、図７〜図１１を参照しながら、機器の取付構造１の別の実施形態について説明する。尚、図１〜図６の実施形態の説明と同一の箇所についての説明は割愛することにする。
ここに示す実施形態は、上述の実施形態とは、機器本体６と上側の取付部材２との取付構造が異なる。すなわち、上側の取付部材２に対して、機器本体６を固定具で固定して取り付けるのではなく、機器本体６の上方を係止する段差部２７，２７に機器本体６を係止させることで機器本体６が取り付けられる。そして、機器本体６が、段差部２７，２７に係止された状態で脱臭装置５の前面側から設置空間Ｓにスライドして着脱自在に収納される構造としている。
以下詳しく説明する。
【００３３】
まず、機器の取付構造１の上下一対の取付部材２，３の構成について、図８（ｂ）を用いて説明する。
上側の取付部材２は、細長帯状に構成されており、その帯状部分である本体部２８には、長手方向を長辺とする細長略矩形の２つの機器本体挿通孔２５（２５ｃ，２５ｄ）が形成されている。この２つの機器本体挿通孔２５ｃ，２５ｄは、互いの同じ側の長辺同士が上側の取付部材２の長手方向に沿って略一直線上に位置するように、上側の取付部材２の長手方向に沿って互いに離間して形成されている。機器本体挿通孔２５ｄの長辺は、機器本体挿通孔２５ｃの長辺よりも長く、機器本体挿通孔２５ｄは本体部２８の略中央部分に形成されている。
上側の取付部材２の２つの長辺の各々から本体部２８と略垂直方向下向きに、２つの細長い平面状の折曲部２６，２６が延出している。これら２つの折曲部２６，２６の下端部には、上側の取付部材２の長手方向に沿って、互いの折曲部２６の向きに出っ張った段差部２７，２７が形成されている。
上側の取付部材２の一方の長辺から、本体部２８と略垂直方向に、前記折曲片２６と反対の方向である上向きに２つの折曲片２２，２２が延出している。２つの折曲片２２，２２のうちの一方は前記機器本体挿通孔２５ｃに臨む位置に形成されており、他方は、前記機器本体挿通孔２５ｄと、上側の取付部材２の両端部のうち機器本体挿通孔２５ｃから遠い方の端部との間に形成されている。各折曲片２２には固定具が挿通される各挿通孔２２ａが形成されている。
上側の取付部材２の他方の長辺の略中央部分からは、本体部２８と略垂直方向に、前記折曲片２２，２２と同じ方向である上向きに、１つの側面パネル取付部２３が延出している。この側面パネル取付部２３には固定具が挿通される固定具挿通孔２３ａが形成されている。
【００３４】
下側の取付部材３は、細長帯状に構成されており、その帯状部分は、略矩形で平面状の平面部３０で構成される。その平面部３０の一方の長辺部が、平面部３０と略垂直方向に、下向きに折り曲げられ、係止部３２が形成されている。
平面部３０の他方の長辺部が、前記係止部３２と反対の向きである上向きに、平面部３０と略垂直方向に折り曲げられ、取付壁３３が形成されている。この取付壁３３には、固定具が挿通される３つの挿通孔３３ａ，３３ａ，３３ａが略等間隔で形成されている。
【００３５】
次に、脱臭装置５の構成について、図１０（ａ）、図１０（ｂ）、図１１を用いて説明する。
本実施形態においては、図１０（ｂ）に示すように、機器本体６の上端部には、その略中央部分に、上方に開口した４つの開口部６１，６１，６１，６１が設けられている。それらはキッチンユニット８の奥行方向の奥側から順に吸気側連通口６１ｄ、吹出口連通口６１ｅ，６１ｆ，６１ｅである。
上部ユニット７に関しては、上部ユニット本体７０の下端面に、下方に開口した４つの開口部が設けられている。キッチンユニット８の奥行方向の奥側には吸気口側連通口７２が、前記下端面の略中央部分には、３つの機器本体連通口７３，７３，７３が設けられている。これらは、キッチンユニット８の奥行方向の奥側から順に機器本体連通口７３ａ，７３ｂ，７３ｃである。機器本体６の上方に上側の取付部材２を介して上部ユニット７が設置された際には、吸気口側連通口７２と上側の取付部材２の機器本体挿通孔２５ｃと、吸気側連通口６１ｄとが連通するように設置される。また、機器本体連通口７３ａと吹出口連通口６１ｅとが、機器本体連通口７３ｂと吹出口連通口６１ｆとが、機器本体連通口７３ｃと吹出口連通口６１ｇとが連通するように設置される。この際、これらの機器本体連通口７３ａ，７３ｂ，７３ｃ及び吹出口連通口６１ｅ，６１ｆ，６１ｇは、すべて上側の取付部材２の機器本体挿通孔２５ｄの内部に収まるよう設置される。
【００３６】
さらに、図１０（ａ）、図１０（ｂ）に示すように、上部ユニット本体７０の側面パネル４側の面に裏板７８が設置されており、その裏板７８の上端部には複数の固定具挿通孔７８ａ，７８ａ，が形成されている。
また、図１１に示すように、上部ユニット本体７０の上方には上部ユニット本体７０の上端部を覆うようにカバー部７４が設けられ、その長手方向の両端部付近には、上方に開口する第２吹出口７４ａ，７４ａが形成されている。尚、図１〜図６の実施形態では、第２吸気口として７９の符号を付けたが、この実施形態では、２箇所に形成されている吸気口に対して７４ａ，７４ａの符号を付けて説明している。
【００３７】
次に、キッチンユニット８の端部の側面８ａに、脱臭装置５を取り付ける工程について説明する。
まず、図８（ａ）に示すように、上側の取付部材２が、側面８ａの上端付近に取り付け固定される。２つの折曲片２２，２２をキッチンユニット８の端部の側面８ａに接する状態にして、キッチンユニット８の上面８ｃと当該上側の取付部材２の本体部２８の辺部が略平行になる状態で取り付け固定される。例えばネジなどの固定具（不図示）を、各折曲片２２側からキッチンユニット８の端部の側面８ａ側へ各挿通孔２２ａに挿通させて当該固定具を側面８ａに止着させる。これにより、上側の取付部材２が折曲片２２，２２を介して側面８ａに対して取り付け固定される。
次に機器の取付構造１の下側の取付部材３が、取付壁３３をキッチンユニット８の端部の側面８ａに接する状態にして、側面８ａの下端付近に、当該下側の取付部材３の平面部３０の長辺部が側面８ａの下端と略一致する状態にして取り付け固定される。例えばネジなどの固定具３４，３４，３４を、取付壁３３側からキッチンユニット８の端部の側面８ａ側へ各挿通孔３３ａに挿通させて当該各固定具３４を側面８ａに止着させる（図９（ｂ）参照）。これにより、下側の取付部材３が取付壁３３を介して側面８ａに対して取り付け固定される。
【００３８】
次に、上下一対の取付部材２，３に対して側面パネル４を取り付ける。
図９（ｂ）は、キッチンユニット８の端部の側面８ａに取り付けられた下側の取付部材３と、当該下側の取付部材３に被係止部４２を介して係止された状態の側面パネル４を、キッチンユニット８の内部の側から見た図である。
まず側面パネル本体４０の表面４０ａの下端部４０ｃに、３つの被係止部材４１，４１，４１を略等間隔に取り付け固定する。例えばネジなどの固定具４５，４５，４５を各パネル取付部４３側から側面パネル本体４０の表面４０ａ側へ各固定具挿通孔４４に挿通させて、当該各固定具４５を表面４０ａに止着させる。これにより、３つの被係止部材４１，４１，４１が表面４０ａに取り付け固定される。その際、図１〜図６における実施形態とは異なり、各パネル取付部４３の下端部ではなく上端部に、各被係止部４２が位置するよう取り付け固定される。その状態では、被係止部４２，４２，４２と側面パネル本体４０の表面４０ａとの間の間隙は、パネル取付部４３，４３，４３の上側に生じている。
その後、まず側面パネル４を、下側の取付部材３の係止部３２が被係止部材４１，４１，４１に対して係止するように、キッチンユニット８の前面８ｄ側から裏面側の方向にスライドさせる。その際、前記前面８ｄ側の被係止部材４１から順に係止部３２に係止され、すべての被係止部材４１，４１，４１が係止部３２に係止される。またその際、側面パネル４の下端は床面（不図示）に当接した状態となっている。そのため、すべての被係止部材４１，４１，４１が係止部３２に係止した状態においては、側面パネル４を支える手をはずしても、側面パネル４がキッチンユニット８の端部の側面８ａの反対側に倒れることがない。そのため、後の側面パネル４の上方部４０ｂの上側の取付部材２への取り付け作業がし易い構成となっている。
次に、その状態を保ったままで、側面パネル本体４０の表面４０ａと上側の取付部材２の側面パネル取付部２３とが接する状態にする。この状態で、例えばネジなどの固定具（不図示）を、側面パネル取付部２３側から側面パネル本体４０の表面４０ａ側へ固定具挿通孔２３ａに挿通させて、当該固定具を表面４０ａに止着させる。これにより、側面パネル４が、側面パネル取付部２３を介して上下一対の取付部材２，３に対して取り付け固定される。
【００３９】
次に、機器本体６を上側の取付部材２に対して取り付ける。
まず、図７に示すように、機器本体６を、キッチンユニット８の前面８ｄ側、脱臭装置５の前面側から設置空間Ｓに向けてスライドさせて差し入れる。その際、機器本体の上端面の２つの長辺の長手方向に沿って形成された鍔部６４，６４が、上側の取付部材２の段差部２７，２７（図８（ｂ）参照）の上部に乗った状態を保ちながらスライドさせる。これにより、機器本体６の全体が前記設置空間Ｓに差し入れられた状態においては、機器本体６を支える手をはずしても、鍔部６４，６４が段差部２７，２７に支えられているため、機器本体６が上側の取付部材２から落下することはない。
次に、上部ユニット７が機器本体６の上方に取り付けられる。
まず、図１０（ａ）、図１０（ｂ）に示すように、上部ユニット７の下端部７０ｄが、前記間隙ｄ１に上側から差し込まれて設置される。その際、機器本体連通口７３ａ，７３ｂ，７３ｃの略矩形形状の４辺の縁が下方に突出するよう形成されているため、これらが対応する機器本体６の吹出口連通口６１ｅ，６１ｆ，６１ｇに嵌合し、機器本体６と上部ユニット７とが固定される。
そして、上部ユニット７の裏板７８を側面パネル４に接する状態にして、例えばネジなどの固定具（不図示）を、裏板７８側から側面パネル４の表面４０ａ側へ固定具挿通孔７８ａに挿通させて、当該固定具を表面４０ａに止着させる。これにより、上部ユニット７が側面パネル４に対して取り付け固定される。
次に、図１１に示すように、上部ユニット本体７０の上端部を覆うようにカバー部７４が取り付けられる。その後、側面カバー６５を、機器本体６の保護や意匠性の付与の目的で、機器本体６のキッチンユニット８の前面８ｄ側の端面に対して取り付け、さらに当該側面カバー６５の下方に蹴込み部材６６を取り付ける。
【００４０】
次に、機器本体６及び上部ユニット７の取り外し工程について、図７、図１０（ａ）、図１１を用いて説明する。
まず、側面パネル４が上下の取付部材２，３に取り付け固定されたままの状態で、上部ユニット本体７０からカバー部７４を取り外す（図１１参照）。そして、裏板７８に取り付けられている固定具を取り外して、裏板７８と側面パネル４との固定を外す（図１０（ａ）参照）。その後上部ユニット７を上述の間隙ｄ１から上方に引き抜くことで、機器本体連通口７３ａ，７３ｂ，７３ｃの略矩形形状の４辺の縁の突出部分と、これらに対応する吹出口連通口６１ｅ，６１ｆ，６１ｇとの嵌合がはずれる。それにより、上部ユニット７を取り外すことができる。
次に、機器本体７の取り外しであるが、まず、側面カバー６５を取り外す（図１１参照）。そして機器本体６の設置空間Ｓから機器本体６を、機器本体６の鍔部６４，６４を上側の取付部材２の段差部２７，２７に対してスライドさせて、機器本体６をキッチンユニット８の前面８ｄ側の方向に引き抜く（図７参照）。
【００４１】
以上の構成によれば、キッチンユニット８の端部の側面８ａに容易に脱臭装置５を取り付けることができる。
また、機器本体６の設置空間Ｓが確保された状態で側面パネル４が取り付けられており、機器本体６が上側の取付部材２と下側の取付部材３の間に位置するように上側の取付部材２に取り付けられる。そのため、機器本体６の寸法仕様に多少ばらつきがあっても、それを吸収して、キッチンユニット８の端部の側面８ａ（８ｂ）に容易に機器本体６を取り付けることができる。
さらに機器本体６を固定具を用いることなく、脱臭装置５の前面側から設置空間Ｓに向けてスライドさせて差し入れて上側の取付部材２に容易に取り付けることができるとともに、機器本体６の取り外しも容易にできる。これにより、メンテナンス時などには、脱臭装置５を構成する機器本体６のみを容易に着脱することができる。
【００４２】
そして、上側の取付部材２は、側面パネル４の上方部４０ｂを固定する固定具挿通孔２３ａを有する側面パネル取付部２３を備えている。下側の取付部材３は側面パネル４の下端部４０ｃに備えられた被係止部材４１の被係止部４２を係止する係止部３２を備えている。側面パネル４の上方部４０ｂが、係止部３２を被係止部材４１の被係止部４２に係止させた状態で、側面パネル取付部２３に取り付けられる。このため、容易に側面パネル４を上下の取付部材２，３に取り付けることができる。
さらに、脱臭装置５を構成する上部ユニット７の少なくともその下端部７０ｄが、機器本体６の上方に、上側の取付部材２を介して、側面パネル４の表面４０ａとキッチンユニット８の端部の側面８ａ（８ｂ）との間の間隙ｄ１に上側から差し込まれて設置される。このため、機器本体６の上側から容易に上部ユニット７を取り付けることができる。
【００４３】
尚、実施形態で説明した各部材などの構成は図例に限定されるものではない。
本明細書では住宅設備８としてキッチンユニット８を用いて説明したが、住宅設備８としてはキッチンユニット８に限定されることはない。例えば、内部に物品を収納することができるスペースや、通信回路、電気的接続器などを備えた多機能キャビネットや、洗面台などであってもよい。
キッチンユニット８の構成は、図例のＩ型に限定されず、Ｌ型であってもよく、また今回説明した壁面設置型に限定されることはなく、いわゆるアイランド型や半島型のものであってもよい。
また、機器の取付構造１はキッチンユニット８の左右いずれの端部の側面８ａ、８ｂに対しても取り付けられることのできる構成であってよい。
さらに機器本体６や上部ユニット７における各部材、上下一対の取付部材２，３、側面パネル４などの設置位置、形状などは図例のものに限定されることはない。
そして機器として脱臭装置５の例を説明したが、これも脱臭装置５に限定されることはない。
【符号の説明】
【００４４】
１      機器の取付構造
８      キッチンユニット（住宅設備）
８ａ（８ｂ）  端部の側面
２，３  上下一対の取付部材
２      上側の取付部材
３      下側の取付部材
４      側面パネル
５      脱臭装置（機器）
６      機器本体
７      上部ユニット
６０ｃ  上端面（機器本体の）
２０    機器本体取付部
２０ａ  固定具挿通孔（機器本体取付部の）
２３    側面パネル取付部
２３ａ  固定具挿通孔（側面パネル取付部の）
２４    上部ユニット支持部
２７    段差部
３２    係止部
４０ｂ  上方部（側面パネルの）
４０ｃ  下端部（側面パネルの）
４２    被係止部
７０ｄ  下端部（上部ユニットの）
７０ｃ  両端部（上部ユニットの）
Ｓ      設置空間
ｄ１    間隙
【図１】
0005672553.tif 000002
【図２】
0005672553.tif 000003
【図３】
0005672553.tif 000004
【図４】
0005672553.tif 000005
【図５】
0005672553.tif 000006
【図６】
0005672553.tif 000007
【図７】
0005672553.tif 000008
【図８】
0005672553.tif 000009
【図９】
0005672553.tif 000010
【図１０】
0005672553.tif 000011
【図１１】
0005672553.tif 000012